(57)【要約】【課題】アナログ表示部およびデジタル表示部を備えるとともに、薄型化を実現することができる複合表示式計時装置を提供すること。【解決手段】コンビネーション時計１は、分針３１、秒針３２を有するアナログ表示部と、表示パネル２０を有するデジタル表示部とを備える。時分秒のうち、時は表示パネル２０で表示し、分秒はアナログ表示部で表示する。時針を設けていないので、指針の数を少なくできて時計１を薄型化できる。時を表示パネル２０で表示しているので、時針を動かして修正する必要が無く、時刻修正作業が容易になる。時を表示パネル２０で表示し、時針を設けていないので、指針を駆動する輪列の歯車の数を削減でき、時計１の薄型化・小型化を図れ、コストも低減できる。【選択図】図１
2008139025.tif 000002
【特許請求の範囲】
【請求項１】
指針を有するアナログ表示部と、表示装置を有するデジタル表示部とを備え、時分または時分秒によって時刻または時間を表示する複合表示式計時装置であって、
前記時をデジタル表示部で表示し、前記分または分秒をアナログ表示部で表示することを特徴とする複合表示式計時装置。
【請求項２】
指針を有するアナログ表示部と、表示装置を有するデジタル表示部とを備え、時分秒によって時刻または時間を表示する複合表示式計時装置であって、
前記時分をデジタル表示部で表示し、前記秒をアナログ表示部で表示することを特徴とする複合表示式計時装置。
【請求項３】
請求項１に記載の複合表示式計時装置において、
前記アナログ表示部は分針および秒針の２つの指針を備え、各指針の回転軸は、回転軸の軸方向に直交する平面において、各指針の回転軸から各指針の先端までの長さ寸法を加算した寸法以上離れて設けられていることを特徴とする複合表示式計時装置。
【請求項４】
指針を有するアナログ表示部と、表示装置を有するデジタル表示部とを備え、時分秒によって時刻または時間を表示する複合表示式計時装置であって、
前記時分秒のうちの１つをデジタル表示部で表示し、他の２つを２本の指針を備えるアナログ表示部で表示し、
前記２つの指針の回転軸は、回転軸の軸方向に直交する平面において、各指針の回転軸から各指針の先端までの長さ寸法を加算した寸法以上離れて設けられていることを特徴とする複合表示式計時装置。
【請求項５】
請求項１から請求項４のいずれかに記載の複合表示式計時装置において、
前記デジタル表示部はメモリー性表示素子を用いて構成されていることを特徴とする複合表示式計時装置。
【請求項６】
請求項１から請求項５のいずれかに記載の複合表示式計時装置において、
前記デジタル表示部は、文字板を兼用していることを特徴とする複合表示式計時装置。
【発明の詳細な説明】
【技術分野】
【０００１】
本発明は、アナログ表示部およびデジタル表示部を備える複合表示式計時装置に係り、時刻を表示する時計や、時間を計測して表示するストップウォッチ等のタイムカウンターとして利用される複合表示式計時装置に関する。
【背景技術】
【０００２】
指針等を利用したアナログ表示部と、液晶パネル等を利用したデジタル表示部とを備えた電子時計（コンビネーション時計）が知られている（例えば、特許文献１参照）。
特許文献１の時計は、時計表面に液晶装置を設け、この液晶装置を貫通して時針・分針・秒針の回転軸を挿通させている。
そして、特許文献１の時計では、時刻を時分秒の各指針で表示すると共に、デジタル表示部においては、時刻、カレンダー、アラーム、タイマー等を切り替えて表示している。
【０００３】
【特許文献１】特開２００２−１１６２６９号公報
【発明の開示】
【発明が解決しようとする課題】
【０００４】
しかしながら、特許文献１の時計では、デジタル表示部においても現時刻を表示できるが、アナログ表示部のみでも現時刻を視認できるように、時針、分針、秒針の３つの指針を設けている。このため、デジタル表示部および各指針が時計の厚さ方向に重なって配置され、その分、時計の厚さ寸法が増大し、時計の薄型化が難しいという問題があった。
【０００５】
本発明の目的は、アナログ表示部およびデジタル表示部を備えるとともに、薄型化を実現することができる複合表示式計時装置を提供することにある。
【課題を解決するための手段】
【０００６】
本発明に係る複合表示式計時装置は、指針を有するアナログ表示部と、表示装置を有するデジタル表示部とを備え、時分または時分秒によって時刻または時間を表示する複合表示式計時装置であって、前記時をデジタル表示部で表示し、前記分または分秒をアナログ表示部で表示することを特徴とする。
【０００７】
ここで、アナログ表示部とは、ステッピングモータなどの駆動手段によって機械的に動作される指針を備え、指針によって情報を指示する表示部を意味する。また、デジタル表示部とは、少なくとも数字を表示可能な表示装置で構成された表示部を意味する。この表示装置としては、例えば、液晶ディスプレイ、有機ＥＬディスプレイ、ＥＰＤ（Electrophoretic Display）などの各種の表示装置が利用できる。
また、前記時刻は利用者によって設定された地域の現時刻など、通常の時計で指示される時刻を意味する。一方、前記時間は、ストップウォッチなどのタイムカウンターによって計測される時間を意味する。
【０００８】
この発明によれば、時分のみで時刻や時間を表示し、秒表示を行わない計時装置や、時分秒で時刻や時間を表示する計時装置において、「時」をデジタル表示部で表示し、その「時」よりも短い間隔で表示が変更される「分」（時分表示の場合）または「分・秒」（時分秒表示の場合）をアナログ表示部で表示しているので、アナログ表示部における指針の数を少なくでき、その分、複合表示式計時装置を薄型にできる。
また、「時」をデジタル表示部で表示しているので、時刻修正作業や、時差修正作業を容易に行うことができる。すなわち、一般的なアナログ時計では、時針および分針は輪列を介して連動して動作するため、時針を修正する場合、その修正時間に応じた数だけ分針を回転させなければならない。例えば、午前３時から午前９時に時刻を修正する場合、分針を６周分回転させて時針を６時間分移動させる必要がある。海外に移動するために現地時刻に修正する場合も、最大で±１２時間の時差が生じるため、その時差時間分だけ分針を回転させて時針を移動させなければならず、修正作業に時間がかかり、操作が煩雑である。
これに対し、本発明では「時」をデジタル表示部で表示しているので、デジタル表示部に表示されている数字（「時」）をボタン操作などで変更するだけでよく、分針を時間分回転させる必要が無いため、修正操作を容易に行うことができる。
また、分針を現時刻等に合わせる場合には、分針を０〜５９分までのいずれかに合わせればよいので、分針を一周させる間に必ず時刻に合わせることができる。このため、分針の修正作業もりゅうず操作などで容易に行うことができる。
【０００９】
さらに、「時」をデジタル表示部で表示することによって、指針駆動用の輪列における歯車の数を削減することができる。すなわち、指針はモータおよび減速輪列を用いて駆動される。ここで、減速輪列は、一般的には、モータの出力軸に設けられた６番車から順次、５〜２番車、日の裏車、筒車で構成され、４番車に秒針、２番車に分針、筒車に時針が取り付けられる。従って、秒針や分針を設けない場合でも時針が存在すれば、上記各歯車を用意しなければならないが、時針を設けない場合には、日の裏車および筒車を無くすことができる。従って、秒針や分針を設けない場合に比べて、時針を設けない場合のほうが歯車の数を少なくでき、その分、計時装置の薄型化や小型化を図れ、コストも低減できる。
【００１０】
本発明の複合表示式計時装置は、指針を有するアナログ表示部と、表示装置を有するデジタル表示部とを備え、時分秒によって時刻または時間を表示する複合表示式計時装置であって、前記時分をデジタル表示部で表示し、前記秒をアナログ表示部で表示することを特徴とするものでもよい。
【００１１】
この発明によれば、「時分秒」で時刻や時間を表示する計時装置において、「時・分」をデジタル表示部で表示し、その「時・分」よりも短い間隔で表示が変更される「秒」をアナログ表示部で表示しているので、アナログ表示部における指針の数を少なくでき、その分、複合表示式計時装置を薄型にできる。
また、「時・分」をデジタル表示部で表示しているので、前記発明と同様に、時針および分針が設けられている場合のように、時針・分針を修正時刻分回転させる必要が無く、時刻や時差の修正作業を容易に行うことができる。
さらに、「時・分」をデジタル表示部で表示することによって、指針駆動用の輪列もさらに削減することができる。すなわち、秒針のみが設けられている場合、減速輪列は、モータの出力軸に設けられた６番車から順次、５番車、４番車まで設ければよく、３〜２番車、日の裏車、筒車を無くすことができるので、歯車の数を少なくでき、その分、計時装置の薄型化や小型化を図れ、コストも低減できる。
【００１２】
ここで、前記アナログ表示部は分針および秒針の２つの指針を備え、各指針の回転軸は、回転軸の軸方向に直交する平面において、各指針の回転軸から各指針の先端までの長さ寸法を加算した寸法以上離れて設けられていることが好ましい。
このような構成によれば、各指針の先端の回転軌跡が平面的に重ならないため、各指針の回転軸に沿った高さ位置を同じにしても各指針が衝突することを防止できる。このため、同軸上に各指針が設けられる一般的な時計のように、各指針の高さ位置を異ならせて設ける必要がなく、同じ高さ位置に設けることができるので、その分、計時装置の厚さ寸法を小さくでき、２本の指針を備えていても、１本の指針のみが設けられた計時装置と同様の厚さ寸法に抑えることができ、複合表示式計時装置を薄型にできる。
【００１３】
本発明の複合表示式計時装置は、指針を有するアナログ表示部と、表示装置を有するデジタル表示部とを備え、時分秒によって時刻または時間を表示する複合表示式計時装置であって、前記時分秒のうちの１つをデジタル表示部で表示し、他の２つを２本の指針を備えるアナログ表示部で表示し、前記２つの指針の回転軸は、回転軸の軸方向に直交する平面において、各指針の回転軸から各指針の先端までの長さ寸法を加算した寸法以上離れて設けられていることを特徴とする。
【００１４】
このような構成によれば、各指針の先端の回転軌跡が平面的に重ならないため、各指針の回転軸に沿った高さ位置を同じにしても各指針が衝突することを防止できる。このため、同軸上に各指針が設けられる一般的な時計のように、各指針の高さ位置を異ならせて設ける必要がなく、同じ高さ位置に設けることができるので、その分、計時装置の厚さ寸法を小さくでき、２本の指針を備えていても、１本の指針のみが設けられた計時装置と同様の厚さ寸法に抑えることができ、複合表示式計時装置を薄型にできる。
【００１５】
ここで、前記デジタル表示部はメモリー性表示素子を用いて構成されていることが好ましい。
メモリー性表示素子とは、電力供給を継続しなくても所定時間、表示を継続できる素子であり、例えば、いわゆる電子ペーパーと呼ばれる、ＥＰＤ(Electrophoretic Display)等の電気泳動方式表示デバイスが利用できる。
【００１６】
デジタル表示部にメモリー性表示素子を用いれば、表示を維持するための電力消費を大幅に低減でき、特に、腕時計のような携帯型の計時装置において電池寿命を長くできて動作可能時間を長くでき、電池交換や充電回数を少なくでき、利便性を向上できる。
また、メモリー性表示素子は、表示の更新時には電力が消費されるため、表示の更新間隔を長くすればその分消費電力を低減できる。従って、秒表示をアナログ表示部で表示し、１分間隔で表示を更新する「分」をデジタル表示部で表示した場合には、１秒間隔で表示を更新する「秒」をデジタル表示部で表示する場合に比べて電力消費を低減できる。さらに、「秒・分」をそれぞれアナログ表示部で表示し、１時間間隔で表示を更新する「時」をデジタル表示部で表示すれば、電力消費をより一層低減できる。
【００１７】
ここで、前記デジタル表示部は、文字板を兼用していることが好ましい。
アナログ表示部は、通常、指針の目盛などが表示された文字板を備えるが、デジタル表示部の表面に文字板を積層した場合、その分、計時装置の厚さ寸法が大きくなる。これに対し、本発明のように、デジタル表示部を文字板としても兼用すれば、文字板の厚さ寸法分だけ計時装置を薄くできる。さらに、ドットマトリクスタイプのデジタル表示部等を用いれば、デジタル表示部の表示を自由に制御できるため、文字板として兼用されているデジタル表示部のデザインを自由に変更でき、計時装置の意匠性を向上できる。
【発明を実施するための最良の形態】
【００１８】
以下、本発明の実施の形態を図面に基づいて説明する。
［第１実施形態］
〔コンビネーション時計の構成〕
図１は、本発明に係る複合表示式計時装置であるコンビネーション時計１を正面から見た図である。
コンビネーション時計１は、時計本体１０と、バンド１５とを備えて構成され、利用者が腕に装着して使用する腕時計タイプとされている。
【００１９】
時計本体１０は、図２にも示すように、略角筒状に形成された外装ケース（胴）１１と、外装ケース１１の表面側に装着されたカバーガラス（風防）１２と、外装ケース１１の裏面側に着脱可能に取り付けられた裏蓋１３とを備えている。
なお、外装ケース１１は、略角筒状（平面矩形状）に形成されたものに限らず、略円筒状（平面円形状や楕円形状）などに形成されたものでもよく、その形状は図示したものに限定されない。
【００２０】
外装ケース１１の両端部には、一対のバンド取付部１１Ａが形成され、バンド取付部１１Ａ間にはバネ棒が着脱可能に設けられる。そして、前記バンド１５は、バネ棒を利用してバンド取付部１１Ａ間に取り付けられる。
【００２１】
外装ケース１１内には、表示パネル（表示装置）２０、指針３０、ムーブメント４０が設けられている。なお、本実施形態では、ムーブメント４０は中枠１４を介して外装ケース１１内に配置されており、外装ケース１１の形状、サイズが変更された場合でも、その形状、サイズに応じた中枠１４を利用することで、ムーブメント４０は共通のものが利用できる。
【００２２】
表示パネル２０は、外装ケース１１に応じた形状、サイズで製造された電子ペーパーと呼ばれるＥＰＤ(Electrophoretic Display)等の電気泳動方式表示デバイスで構成されている。なお、表示パネル２０としては、他のメモリー性表示装置、例えば、エレクトロクロミックディスプレイ（ＥＣＤ）、強誘電液晶、コレステリック液晶等の各種のメモリー性を有する表示装置が利用できる。
そして、表示パネル２０によって、本発明におけるデジタル表示部が構成されている。また、本実施形態では、表示パネル２０上に別途文字板を設けていないため、表示パネル２０は文字板としても兼用されている。
【００２３】
指針３０は、カバーガラス１２と表示パネル２０との間の空間に配置され、カバーガラス１２から視認可能に設けられている。本実施形態では、指針３０として、分針３１および秒針３２が設けられ、時針は設けられていない。各分針３１、秒針３２の回転軸は、ムーブメント４０から表示パネル２０を貫通して設けられて前記空間に突出されている。
【００２４】
ムーブメント４０は、指針３０（分針３１、秒針３２）の駆動を制御するとともに、表示パネル２０の駆動制御も行うように構成されている。
すなわち、ムーブメント４０は、図３に示すように、ＩＣ等によって構成される制御回路４１と、指針３０を駆動する駆動手段４２と、発振回路４３と、電力供給手段４４と、外部入力装置４５とを備えて構成されている。
【００２５】
駆動手段４２は、指針駆動用のステッピングモータ４６と、このモータ４６の出力を分針３１、秒針３２に伝達する輪列４７とを備えて構成されている。輪列４７は、図４に示すように、モータ４６の出力軸に設けられた６番車４７１から５番車４７２、４番車４７３、３番車４７４、２番車４７５まで順次減速する減速輪列である。そして、４番車４７３に秒針３２が取り付けられ、２番車４７５に分針３１が取り付けられている。
【００２６】
発振回路４３は、水晶振動子などで構成されて所定周波数のパルス信号を出力する。
電力供給手段４４は、一次電池や二次電池で構成される。充電可能な二次電池が設けられている場合には、二次電池を充電できる太陽電池や回転錘を用いた発電手段も設けられている。
【００２７】
外部入力装置４５は、各種の設定や操作を行うためのりゅうずやボタンで構成され、利用者による操作を認識して制御回路４１に操作信号を出力するものである。
本実施形態では、外部入力装置４５は、図１に示すように、りゅうず４５１、ボタン４５２，４５３を備えて構成されている。すなわち、りゅうず４５１、ボタン４５２，４５３は、図１に示すように、時計本体１０の側面に配置されている。なお、これらのりゅうず４５１や各ボタン４５２，４５３の配置位置や数は、図１のものに限定されず、時計本体１０の形状などに応じて利用者が操作可能な位置に設けられていればよい。
【００２８】
制御回路４１は、パルス合成回路４１１と、駆動制御回路部４１２と、アナログ表示部駆動回路４１３と、デジタル表示部駆動回路４１４とを備えて構成されている。
パルス合成回路４１１は、発振回路４３から出力されるパルス信号を分周して所定の基準信号（通常は１Ｈｚのパルス信号）を駆動制御回路部４１２に出力する。
【００２９】
駆動制御回路部４１２は、時刻カウンタ４１５を内蔵している。時刻カウンタ４１５は、年月日などのカレンダー情報と、時分秒などの時刻情報とが記憶され、それらの値は、外部入力装置４５によって修正可能とされ、かつ、パルス合成回路４１１からの基準信号によって順次更新されるように構成されている。例えば、時刻カウンタ４１５は、時カウンタ、分カウンタ、秒カウンタ、日カウンタ、月カウンタ、年カウンタを備える。そして、パルス合成回路４１１から１Ｈｚの基準信号が入力されると、駆動制御回路部４１２は、秒カウンタを更新し、秒カウンタが６０秒になると、分カウンタを１分進め、分カウンタが６０分になると時カウンタを１時間進め、これにより現時刻を記憶更新できるようにされている。
また、駆動制御回路部４１２は、時カウンタが２４時間になると日カウンタを１日更新し、日カウンタがその月の末日から更新されると月カウンタを1月更新するようにして、現在の年月日も記憶更新できるようにされている。
【００３０】
駆動制御回路部４１２は、時刻カウンタ４１５の情報に基づいて、アナログ表示部駆動回路４１３およびデジタル表示部駆動回路４１４に対して駆動制御信号ＣＳ１、ＣＳ２をそれぞれ出力する。
アナログ表示部駆動回路４１３に対して出力される駆動制御信号ＣＳ１は、時刻カウンタ４１５の秒情報の更新に対応して1秒間隔で出力されるパルス信号である。
一方、デジタル表示部駆動回路４１４に対して出力される駆動制御信号ＣＳ２は、表示パネル２０に表示する時刻情報であり、本実施形態では、「時」を示す数字を示す信号である。
【００３１】
アナログ表示部駆動回路４１３は、駆動制御回路部４１２から駆動制御信号ＣＳ１が入力されると、ステッピングモータ４６に対して駆動パルスを出力する。すなわち、アナログ表示部駆動回路４１３は、駆動パルスによってステッピングモータ４６を駆動して秒針３２を１秒ごとにステップ運針する。また、分針３１はステッピングモータ４６の駆動に連動して運針される。
一方、デジタル表示部である表示パネル２０には、時分秒のうちの時が表示されているため、デジタル表示部駆動回路４１４は、駆動制御回路部４１２から入力される駆動制御信号ＣＳ２の「時」が変更されると、表示パネル２０の駆動を制御してその表示を更新する。従って、デジタル表示部駆動回路４１４は、表示パネル２０の「時」の表示を１時間間隔で更新する。
【００３２】
従って、本実施形態のコンビネーション時計１では、指針３１，３２を備えたアナログ表示部によって「分・秒」が表示され、表示パネル２０を備えたデジタル表示部によって「時」が表示されている。また、「時」は、表示パネル２０のほぼ全面を利用して大きく表示されているので、表示パネル２０上で指針３１，３２が運針していても、その指針３１，３２で隠れる部分は数字の一部に過ぎない。このため、指針３１，３２が表示パネル２０上に重なって配置されていても、表示パネル２０に表示される「時」の識別性を低下させることはない。
【００３３】
このような本実施形態によれば、次のような効果が得られる。
（１）「時」をデジタル表示部である表示パネル２０で表示し、「分・秒」をアナログ表示部である指針３０（分針３１、秒針３２）で表示しているので、通常のアナログ時計に比べて、時針を不要にできる。このため、時針を分針３１、秒針３２と重ねて配置する必要が無くて時計１を薄型化できる。また、時針を駆動するための歯車（日の裏車、筒車）を不要にでき、歯車の数を少なくでき、その分、時計１を薄型化・小型化できる。
さらに、「時」のみをデジタル表示しているので、「時分秒」をすべてデジタル表示する通常のデジタル時計に比べて、「時」を容易に視認できる。また、「分・秒」はアナログ表示部の指針３０で指示しているので、直感的に把握できる。
すなわち、本実施形態のコンビネーション時計１は、「時」をデジタル表示し、「分・秒」をアナログ表示しているので、時計の薄型化・小型化を容易に実現でき、かつ時刻を容易に把握できて使い勝手のよい時計にすることができる。
【００３４】
（２）また、「時」をデジタル表示しているので、通常のアナログ時計に比べて、時刻修正や時差修正処理を容易に行うことができる。
すなわち、通常のアナログ時計で時刻修正を行う場合は、運針を停止させ、りゅうずを操作して時針および分針を回転させる必要がある。このため、時針を1時間移動する毎に、分針を１回転させる必要があり、修正作業に時間がかかる。
これに対し、本実施形態では、「時」はデジタル表示されているので、所定のボタンを押して、デジタル表示されている数値を変更すればよく、時刻修正作業を容易に行うことができる。なお、時差修正を行う場合も、時間単位で修正すればよいため、同様に容易に修正できる。
【００３５】
（３）デジタル表示部である表示パネル２０を、ＥＰＤなどのメモリー性を有する表示パネルで構成したので、消費電力を低減でき、電池寿命も長くすることができる。特に、本実施形態では、表示パネル２０では「時」を表示するため、その表示の書き換えも１時間毎のみであり、書き換え頻度を少なくできる。ＥＰＤ等のメモリー性を有する表示パネル２０では、書き換え時に電力を消費し、表示を維持している状態では電力を消費しないため、時分秒の中で最も書き換え頻度の少ない「時」を表示パネル２０で表示すれば、「分」や「秒」をデジタル表示する場合に比べて消費電力を大幅に低減できる。
【００３６】
（４）表示パネル２０が文字板を兼用しているので、表示パネル２０の上に文字板を積層した場合に比べて時計１を薄型化できる。さらに、表示パネル２０によって文字板を形成すれば、表示パネル２０の表示を制御することで、様々なデザインの文字板を自由に設定できるため、コンビネーション時計１のデザイン性を一層向上できる。
【００３７】
［第２実施形態］
次に、本発明の第２実施形態について説明する。なお、以下に説明する各実施形態において、前述する各実施形態と同一または同様の構成には同一符号を付し、説明を省略または簡略する。
第２実施形態のコンビネーション時計１Ｂは、図５に示すように、第１実施形態のコンビネーション時計１とは、アナログ表示部として分針３１のみが設けられ、秒針が設けられていない点のみが相違し、他の構成は同一である。すなわち、コンビネーション時計１Ｂは、秒表示が無い、「時・分」のみが表示された時計である。
なお、秒針が設けられていない場合であっても、モータ４６から分針３１を駆動する２番車４７５までの輪列は前記第１実施形態と同一である。
【００３８】
このような本実施形態においても前記第１実施形態と同様の作用効果を奏することができる。
特に、前記指針３０が分針３１のみであるため、分針３１および秒針３２がその回転軸方向に重なって配置される第１実施形態のコンビネーション時計１に比べて、コンビネーション時計１Ｂをより薄型化できる。
【００３９】
［第３実施形態］
次に、本発明の第３実施形態について説明する。
第３実施形態のコンビネーション時計１Ｃは、図６に示すように、アナログ表示部として秒針３２のみが設けられ、デジタル表示部である表示パネル２０に、時（図６では「２３」）および分（図６では「１０」）が表示されている。
なお、輪列４７は、秒針３２のみを駆動すればよいため、３番車４７４、２番車４７５を設ける必要はない。
【００４０】
このような本実施形態においても前記第１実施形態と同様の作用効果を奏することができる。
特に、前記指針３０が秒針３２のみであるため、第１実施形態のコンビネーション時計１に比べて、時計１Ｃをより薄型化できる。すなわち、本実施形態のコンビネーション時計１Ｃは、「時・分」を表示パネル２０で表示し、「秒」を秒針３２で指示しているので、「時・分」のみしか表示できないコンビネーション時計１Ｂと同程度の厚さ寸法に抑えることができ、かつ、秒表示まで可能な時計とすることができる。
【００４１】
［第４実施形態］
次に、本発明の第４実施形態について説明する。
第４実施形態のコンビネーション時計１Ｄは、図７に示すように、アナログ表示部として分針３１および秒針３２のみが設けられ、デジタル表示部である表示パネル２０に、時が表示されている。そして、分針３１および秒針３２は、図８にも示すように、前記各時計１〜１Ｃと異なり、時計表面において異なる位置に回転軸３１Ａ，３２Ａが設けられている。
【００４２】
具体的には、分針３１および秒針３２の回転軸３１Ａ，３２Ａは、回転軸３１Ａ，３２Ａの軸方向に直交する平面つまり表示パネル２０の表面において、各指針３１，３２の回転軸３１Ａ，３２Ａから各指針３１，３２の先端までの長さ寸法を加算した寸法以上離れて設けられている。
このため、各指針３１，３２がコンビネーション時計１Ｄの厚さ方向において同じ高さ位置に設けられていても、各指針３１，３２が回転した際に互いに衝突することがないように構成されている。
【００４３】
このような本実施形態においても前記第１実施形態と同様の作用効果を奏することができる。
その上、分針３１、秒針３２の回転軸３１Ａ，３２Ａを所定寸法だけ離すことで、各指針３１，３２を同じ高さ位置に配置できるため、第１実施形態のコンビネーション時計１のように、各指針３１，３２を時計の厚さ方向に積み重ねて配置する場合に比べて、時計１Ｄの厚さ寸法を薄くできる。
【００４４】
［第５実施形態］
次に、本発明の第５実施形態について説明する。
第５実施形態のコンビネーション時計１Ｅは、図９に示すように、アナログ表示部として、分針３１および秒針３２を備えている。秒針３２はいわゆる小秒針とされ、前記各実施形態の秒針３２よりも小さな指針とされている。
分針３１および秒針３２の回転軸３１Ａ，３２Ａは互いに異なる位置に設けられている。但し、各回転軸３１Ａ，３２Ａの間隔は、秒針３２の回転軸３２Ａから秒針３２の先端までの長さ寸法よりも大きく、かつ、分針３１の回転軸３１Ａから分針３１の先端までの長さ寸法よりも小さい寸法に設定されている。このため、分針３１の高さ位置は、秒針３２よりもカバーガラス１２側とされ、分針３１が回転した際に、秒針３２に干渉しないように構成されている。
【００４５】
なお、表示パネル２０には、少なくとも「時」が表示され、前記分針３１および秒針３２とともに、時分秒の現時刻を表示可能に設けられている。さらに、本実施形態では、図９に示すように、所定のボタン操作を行うことなどで、デジタル表示部駆動回路４１４の制御によって、表示パネル２０の下側エリアに「時・分」をデジタル表示できるようにも構成されている。
【００４６】
このような本実施形態においても前記第１実施形態と同様の作用効果を奏することができる。
その上、分針３１、秒針３２の回転軸３１Ａ，３２Ａを近接して配置することができるので、コンビネーション時計１Ｄに比べて、時計の表面積を小さくでき、時計をより一層小型化することができる。
【００４７】
［第６実施形態］
次に、本発明の第６実施形態について説明する。
第６実施形態のコンビネーション時計１Ｆは、時分秒のうちの１つをデジタル表示部で表示し、他の２つを２本の指針を備えるアナログ表示部で表示し、前記２つの指針の回転軸が互いに異なる位置に設けられている時計である。
【００４８】
具体的には、図１０に示すように、表示パネル２０には、「秒」がデジタル表示され、分針３１および時針３３が離れて配置されている。すなわち、分針３１の回転軸３１Ａと、時針３３の回転軸３３Ａとは、分針３１および時針３３の各長さ寸法（回転軸から先端までの長さ寸法）を加算した寸法以上離れて配置されている。これにより、分針３１および時針３３は、同じ高さ位置に配置されていても干渉することなく運針できる。
【００４９】
このような本実施形態においても、前記第４実施形態と同様の作用効果を奏することができる。
すなわち、分針３１、時針３３の回転軸３１Ａ，３３Ａを離すことで、各指針３１，３３を同じ高さ位置に配置できるため、第１実施形態のコンビネーション時計１のように、各指針３１，３３を時計の厚さ方向に積み重ねて配置する場合に比べて、時計１Ｆの厚さ寸法を薄くできる。
なお、表示パネル２０は、「秒」を表示しているので、１秒ごとに表示が更新される。このため、ＥＰＤ等のメモリー性を有する表示パネルを利用するメリットが無くなるため、表示パネル２０として液晶パネルなどを用いてもよい。
【００５０】
〔実施形態の変形〕
なお、本発明は前述の実施形態に限定されるものではなく、本発明の目的を達成できる範囲での変形、改良等は本発明に含まれるものである。
例えば、前記第１実施形態のコンビネーション時計１では、表示パネル２０に「時」を示す数字のみを表示していたが、図１１に示すように、「時」を示す数字（図１１では「１２」）だけでなく、他の都市の現在時刻を表示してもよい。図１１では、日本の時刻に対して−１時間の時差である香港の時刻が表示されている。
さらに、図１の「時」のみを表示する表示モードと、図１１の他の都市の時刻も表示する表示モードとを所定のボタン操作で切り替えて表示するように構成してもよい。
【００５１】
前記各実施形態では、表示パネル２０によって文字板を兼用していたが、表示パネル２０の他に文字板を設けてもよい。表示パネル２０の表面側に文字板を積層配置する場合には、文字板は透光性を有する材料（例えばガラスやプラスチック）で形成し、表示パネル２０における表示を時計表面から視認できるようにすればよい。
【００５２】
表示パネル２０としては、ＥＰＤなどのメモリー性を有する表示素子に限定されず、液晶ディスプレイや有機ＥＬディスプレイなどの表示素子を用いてもよい。
【００５３】
コンビネーション時計としては、時分秒あるいは時分を表示する際に、それらのうちの１つあるいは２つをデジタル表示部で表示し、残りの１つあるいは２つをアナログ表示部で表示すればよい。従って、例えば、アナログ表示部に時針のみを設け、デジタル表示部に「分・秒」を表示してもよいし、アナログ表示部に時針のみを設け、デジタル表示部に「分」のみを表示してもよい。
【００５４】
前記各実施形態では、時刻を表示していたが、例えば、ストップウォッチのようにボタン操作で開始、停止される計時時間を表示してもよい。
また、表示パネル２０は、時分秒の少なくとも１つの数字を表示するだけでなく、日付情報などの他の情報を並べて表示あるいはボタン操作で切り替えて表示してもよい。要するに、本発明は、時分秒あるいは時分によって表示される１つの時刻または時間の情報の一部をデジタル表示部で表示し、他の情報部分をアナログ表示部で表示すればよい。
【図面の簡単な説明】
【００５５】
【図１】本発明の第１実施形態に係るコンビネーション時計を示す正面図。
【図２】前記実施形態のコンビネーション時計の断面図。
【図３】前記実施形態におけるムーブメントの構成を示すブロック図。
【図４】前記実施形態における輪列の構成を示す図。
【図５】本発明の第２実施形態に係るコンビネーション時計を示す正面図。
【図６】本発明の第３実施形態に係るコンビネーション時計を示す正面図。
【図７】本発明の第４実施形態に係るコンビネーション時計を示す正面図。
【図８】第４実施形態のコンビネーション時計の断面図。
【図９】本発明の第５実施形態に係るコンビネーション時計を示す正面図。
【図１０】本発明の第６実施形態に係るコンビネーション時計を示す正面図。
【図１１】本発明の変形例に係るコンビネーション時計を示す正面図。
【符号の説明】
【００５６】
１，１Ｂ，１Ｃ，１Ｄ，１Ｅ，１Ｆ…コンビネーション時計、１０…時計本体、１１…外装ケース、１２…カバーガラス、１３…裏蓋、２０…表示パネル、３０…指針、３１…分針、３２…秒針、３３…時針、４０…ムーブメント、４１…制御回路、４２…駆動手段、４３…発振回路、４４…電力供給手段、４５…外部入力装置、４６…ステッピングモータ、４７…輪列、４１２…駆動制御回路部、４１３…アナログ表示部駆動回路、４１４…デジタル表示部駆動回路、４１５…時刻カウンタ、４５１…りゅうず、４５２，４５３…ボタン。
【図１】
2008139025.tif 000003
【図２】
2008139025.tif 000004
【図３】
2008139025.tif 000005
【図４】
2008139025.tif 000006
【図５】
2008139025.tif 000007
【図６】
2008139025.tif 000008
【図７】
2008139025.tif 000009
【図８】
2008139025.tif 000010
【図９】
2008139025.tif 000011
【図１０】
2008139025.tif 000012
【図１１】
2008139025.tif 000013